(57)【要約】【課題】自動的にライトの明暗およびひらめきを調整することができる電子装置を提供する。【解決手段】少なくとも一組の互いに直列連結または並列連結できる分周器分割回路１０または保護回路を利用し、音源２０から出力された音声信号を受信し、その分周器分割回路１０または保護回路に組み込まれた違う電子エレメント（例えば、抵抗、インダクタンスおよびキャパシタンス）を通じて違った周波数または全周波数範囲内の音声信号をそれぞれ対応する電流信号に転換し、それに接続される少なくとも一つの発光エレメント５１へ出力する音声信号の大きさに伴ってライトの明暗およびひらめきを調整することができる電子装置である。【選択図】　図２
2004077515.tif 000002
【特許請求の範囲】
【請求項１】
少なくとも一組の転換回路と、少なくとも一組の発光アセンブリーとを備え、音声信号の大きさに伴ってライトの明暗およびひらめきを調整することが可能である電子装置であって、
前記転換回路は音源から出力される音声信号を受信し、前記音声信号を対応する電流信号に転換することに使われ、
前記発光アセンブリーはそれぞれ各前記転換回路の出力端に連結され、各前記転換回路から送られた対応する電流信号を受信した場合、前記電流信号の大きさまたは周波数に伴って自動的にライトの明暗およびひらめきを調整可能であることを特徴とする電子装置。
【請求項２】
前記転換回路は分周器分割回路でもよく、前記分周器分割回路は音源から出力される音声信号を受信し、設定された違う分割周波数範囲により、前記音声信号を対応する電流信号に転換することに使われることを特徴とする請求項１に記載の電子装置。
【請求項３】
前記転換回路は保護回路でもよく、前記保護回路は音源から出力される音声信号を受信し、設定された安全負荷範囲により、前記音声信号を対応する電流信号に転換することに使われることを特徴とする請求項１に記載の電子装置。
【請求項４】
前記発光アセンブリーには少なくとも一つの互いに接続する発光エレメントが含まれることを特徴とする請求項１に記載の電子装置。
【請求項５】
少なくとも一つのスピーカが含まれ、前記スピーカは前記発光アセンブリーに接続されることを特徴とする請求項１に記載の電子装置。
【請求項６】
少なくとも一つのスピーカが含まれ、前記スピーカは前記転換回路の前記出力端に接続されることを特徴とする請求項１に記載の電子装置。
【請求項７】
前記分周器分割回路内には少なくとも一つの分周器分割線路が含まれ、前記分周器分割線路は音源から出力される音声信号を受信し、組み込まれている特性値の違う電子エレメントを通じ、前記音声信号中の違う周波数範囲内の音声をそれぞれ対応する電流信号に転換することを特徴とする請求項２に記載の電子装置。
【請求項８】
前記分周器分割回路と前記音源とが接続される線路の間には少なくとも一つの保護回路が設けられ、前記保護回路は前記分周器分割線路に発生する電流信号が設定された安全負荷範囲内に維持されることを保持することを特徴とする請求項７に記載の電子装置。
【請求項９】
前記電子エレメントの各特性値は前記分周器分割線路内に形成される分割周波数の範囲が前記音声信号中のある特定周波数範囲内の音声信号が安全負荷範囲内の対応する電流信号に転換可能となるように設計されていることを特徴とする請求項７に記載の電子装置。
【発明の詳細な説明】
【０００１】
【発明の属する技術分野】
本発明は音声信号の出力装置に関するもので、特に分周器分割回路または保護回路を利用し、違った周波数または全周波数範囲内の音声信号をそれぞれ対応する電流信号に転換し、それに接続されている発光エレメントへ出力し、各発光エレメントは音声信号の周波数に伴って自動的にライトの明暗およびひらめきを調整することができる電子装置に関するものである。
【０００２】
【従来の技術】
近年来、電子産業および材料科学の進歩により、各種電子製品は新型電子部品および製造技術の開発の成功に伴って製造コストが大幅に低減し、電子製品の機能および品質を効果的に改善しただけでなく、更に半導体製造技術の絶えない進歩により、各種小型化された半導体エレメントは従来の電子エレメントに取って代わり、そのために各種電子製品は軽薄短小の市場傾向および需要へ大きく前進した。かつ各種電子製品の使用上の便利性と普及性は大幅に向上しており、現在では多くの高性能、低価格電子製品、例えばウォークマン（登録商標）またはベッドルームステレオ等はすでに一般の人々の負担できる電子製品となっている。ところが、それら消費性電子製品の中で、一般の視聴設備およびマルチメディア設備を例とすれば、それの音響効果を制御する電子設備は絶えず小型化、ミニ化の方向へ発展しているが、それに使われる音声出力スピーカは依然従来のスピーカの構造を使用しており、そのために体積を大幅に縮小することができず、かつ音響効果の出力の質および量にも突破しにくい設計的障害が存在している。
【０００３】
発明者は前述の従来のスピーカの構造設計および製作技術上に発生した多くの欠点に対し、新型スピーカの構造を研究開発し、それぞれ台湾の特許局に８９１１７１２４号、およびアメリカの特許局に０９／６９２，４４０号の発明特許請求案を提出した。図１を参照する。そのスピーカ３０の構造の主要部にはスピーカ３０のフレーム本体３１の一側面の周縁に沿って鼓膜３２が設けられ、そのフレーム本体３１と鼓膜３２との間には共振チャンバー３３が形成され、かつその中央にはコイル３４が設けられており、そのコイル３４が励磁され、その中央位置に磁力線の変化が発生した場合、その鼓膜３２上のコイル３４の中央位置に対応して設けた磁性エレメント３５はそれら磁力線の変化によって吸着と排斥効果を形成し、更に鼓膜に振動が発生して音声が発生する。この構造は従来のスピーカの固定台、鉄芯および永久磁石等部品が占めるスペースを効果的に減少し、スピーカの厚さを大幅に低減するだけでなく、なおかつスピーカの組み立て構造および原価を効果的に簡略化し、スピーカの低音特性および効率を大幅に向上することができる。
【０００４】
そこで、前述の発明がスピーカの体積および原価を大幅に低減することから、発明者はそれを装飾ランプ（例えば：クリスマスランプ、公演会場またはディスコダンスホールに吊り掛けられてあるランプ等）に使用し、それら装飾品の音声およびライトの効果を増やすことを考えた。ところが、一般のクリスマスランプは独立した制御回路に接続され、その制御回路内に設計された固定順序によって自動的に装飾ランプの明暗およびひらめきが調節制御されている。公演会場またはディスコダンスホールに吊り掛けられているランプも独立した制御回路に接続され、その制御回路内に設計された固定順序によって、またはディスクジョッキーの手動操作によって装飾ランプの明暗およびひらめきが調節制御されている。それら制御回路自体はそれら装飾ランプまたはライトの現場音楽に合わせて自動的に装飾ランプまたはライトの明暗およびひらめきを調節制御したり、それを音楽のリズムまたはメロディーに合わせて演奏または放送現場で音声と光とが合致する効果を作ったりすることができない。それ故に音声信号の大きさに伴ってライトの明暗またはひらめきを調整することができる電子装置の開発は速やかに解決したい課題である。
【０００５】
【発明が解決しようとする課題】
本発明の目的は分周器分割回路を利用し、違った周波数範囲内の音声信号を発光エレメントへ出力し、各発光エレメントは音声信号の周波数に伴って自動的にライトの明暗およびひらめきを調整することができる電子装置を提供することである。
【０００６】
本発明の次の目的は保護回路を利用し、全周波数範囲の音声信号をそれぞれ発光エレメントへ出力し、各発光エレメントは音声信号の周波数に伴って自動的にライトの明暗およびひらめきを調整することができる電子装置を提供することである。
【０００７】
また本発明の更に一つの目的はそれぞれその発光エレメントにスピーカを直列連結または並列連結し、それによって分周器分割回路または保護回路より違った周波数または全周波数範囲内の音声信号をそれぞれ発光エレメントへ出力した場合、各発光エレメントおよびスピーカは音声信号の周波数の大きさに伴って自動的にライトの明暗およびひらめきを調整し、音効のリズムが発生して音声と光とが合致する効果が形成される電子装置を提供することである。
【０００８】
【課題を解決しようとする手段】
上記課題を解決するための本発明の電子装置は、音声信号の大きさに伴ってライトの明暗およびひらめきを調整することができ、少なくとも一組の互いに直列連結または並列連結できる分周器分割回路（Ｆｒｅｑｕｅｎｃｙ−ｄｉｖｉｄｅｒ　Ｃｒｏｓｓｏｖｅｒ　ｎｅｔｗｏｒｋ）または保護回路を利用し、音源から出力された音声信号（Ａｕｄｉｏ　ｓｉｇｎａｌ）を受信し、その分周器分割回路または保護回路に組み込まれた違う電子エレメント（例えば、抵抗、インダクタンスおよびキャパシタンス）を通じて違った周波数または全周波数範囲内の音声信号をそれぞれ対応する電流信号に転換し、それに接続される少なくとも一つの発光エレメントへ出力する。
【０００９】
【発明の実施の形態】
本発明は音声信号の大きさに伴ってライトの明暗およびひらめきを調整することができる電子装置に関するもので、図２に示すように、その第一実施例による電子装置には分周器分割回路１０が設けられ、その分周器分割回路１０内には実際の需要または設計の要求によって複数組の分周器分割線路１１、１２、１３・・・が設けられており、各分周器分割線路１１、１２、１３・・・は音源２０からの音声信号を受信し、それに組み込まれた違う電子エレメント（例えば、インダクタンスＬ１１、Ｌ２１、・・・Ｌｉｊ　、キャパシタンスＣ１１、Ｃ２１、・・・Ｃｉｊおよび抵抗Ｒ１１、Ｒ２１、・・・Ｒｉｊ、）を通じてその音声信号中の全周波数または違った周波数範囲内の音声信号をそれぞれ対応する電流信号に転換する。本発明に於いて、分周器分割線路は実際の需要または設計の要求によって互いに直列連結または並列連結することができ、音源はおよそすべての音声信号を発生する装置、例えば一般視聴設備およびマルチメディア設備２２、またはそれら設備と連結される音効アンプリファイアー２１またはスピーカ２３を指し、それから発生する音声信号はそれの出力端子を通して分周器分割回路１０に出力される。本発明の第一実施例に於いては、図２に示すように、それはマルチメディア設備２２（例えばビデオディスクプレーヤ）によって音声信号が発生し、更に音効アンプリファイアー２１によって拡大された後、信号線４０を経て音声信号をその分周器分割回路１０に出力し、その音効アンプリファイアー２１は同時に音声信号をそれに接続されるスピーカ２３に伝送する。この他、図２に示す分周器分割線路１１、１２、１３は本発明が実施される時に応用される線路の態様の一種のみで、本発明が主張する権利範囲はそれに局限されず、およそその技術を熟知する者が本発明に開示された技術内容によって、その他同効果の部材および回路を利用し、音源２０から伝送された音声信号をそれぞれ対応する電流信号に転換するその他の設計はすべて本発明が称する分周器分割回路または線路に属するものとする。
【００１０】
更に図３を参照する。本発明の第一実施例に於いて、その電子装置内には他に複数組の発光アセンブリー５０が設けられ、その各発光アセンブリー５０はそれぞれ各分周器分割線路１１、１２、１３の出力端Ａ１、Ｂ１、Ｃ１に連結され、それによって各分周器分割線路１１、１２、１３は設定された周波数範囲（全周波数または違った周波数）内に於いて、受信した音声信号を対応する電流信号に転換した後、それぞれ各出力端Ａ１、Ｂ１、Ｃ１を通じてそれと連結される各発光アセンブリー５０へ出力し、その発光アセンブリー５０は対応する電流の周波数および大きさに伴い、音声信号の音量の大きさまたはリズムの高低に相当して自動的に各発光アセンブリー５０の明暗およびひらめきを調整することができる。本実施例に於いて、その発光アセンブリー５０は発光エレメント５１（例えばランプ、または電流の大きさに伴って発光するエレメント）でもよく、または複数個の発光エレメント５１から実際の需要または設計要求によって、互いに直列連結および／または並列連結されてもよい。
【００１１】
更に図４を参照する。本発明の第二実施例に於いて、その電子装置内には複数組の発光アセンブリー５０が設けられてある他、その各発光アセンブリー５０はそれぞれスピーカ５２へ直列連結および／または並列連結されてもよく、それによって各分周器分割線路１１、１２、１３は設定された周波数範囲（全周波数または違った周波数）内に於いて、受信した音声信号を対応する電流信号に転換し、それぞれ各出力端Ａ１、Ｂ１、Ｃ１を通じてそれと連結される各発光アセンブリー５０へ出力された場合、それは同時に各スピーカ５２を駆動することができ、その各発光エレメント５１およびスピーカ５２はそれぞれ対応する電流の周波数および大きさに伴い、音声信号の音量の大きさまたはリズムの高低に相当して自動的に各ライトの明暗およびひらめきを調整し、音効が発生して音声と光とが合致する効果が形成される。
【００１２】
本実施例に於いて特に注意するべきことは、その各分周器分割線路１１、１２、１３内に配置される違った電子エレメントは音源から出力する音声信号の周波数幅に合わせて設計され、そのためにそれら電子エレメントの特性値を調整することによって必要な分割周波数（Ｃｒｏｓｓｏｖｅｒ　ｆｒｅｑｕｅｎｃｙ）範囲を発生することができ、各分周器分割線路１１、１２、１３は音声信号中のある特定周波数範囲内の音声信号を必要とする電流信号に転換し、その電流信号を利用してその各分周器分割線路１１、１２、１３に連結されている発光エレメント５１およびスピーカ５２を駆動する。従って、本実施例はその各分周器分割線路１１、１２、１３内に設けられているそれら電子エレメントの特性値および連結線路を設計することによって、その各分周器分割線路１１、１２、１３に発生する電流信号をその各発光エレメント５１およびスピーカ５２の安全負荷範囲内に維持し、音源の出力した音声信号の周波数の周波数幅が大きすぎて各分周器分割線路１１、１２、１３に発生する電流信号がそれら発光エレメント５１およびスピーカ５２の最大負荷範囲を超えてしまい、壊すことがないようにする。また、本実施例に於いて、その各分周器分割線路１１、１２、１３と音源出力端が連結する線路との間に過大電流（または電圧）保護回路を設け、その各分周器分割線路１１、１２、１３に発生する電流信号をそれら各発光エレメント５１およびスピーカ５２の最大負荷範囲内に維持してもよい。また、本実施例に於いて、それの製造コストを低減するため、保護回路をもってその各分周器分割線路１１、１２、１３と入れ替え、それによってその保護回路は音源から伝送された音声信号をその各発光エレメント５１およびスピーカ５２の安全負荷範囲内の電流信号に転換することができる。それ故にその技術を熟知する者が本発明に開示された技術内容により、その保護回路をその分周器分割回路１０内に一体設計し、または独立した線路に設計してその分周器分割回路１０と連結するものはすべて本発明の保護範囲を離脱しないものとする。
【００１３】
図４、５を参照する。本発明が実際に実施される場合、それら発光アセンブリー５０をそれぞれ違った造形の装飾品（図５に示すような星、月および太陽等装飾品）に設計し、更にその各発光エレメント５１およびスピーカ５２をそれぞれ各発光アセンブリー５０に取り付けてそれぞれ独立した装飾の列を形成し、その各発光アセンブリー５０の線路はその分周器分割回路１０の出力端Ａ１、Ｂ１、Ｃ１へ接続されてもよく、それによって一般視聴設備およびマルチメディア設備２２に発生する音声信号は直接または間接的に（音効アンプリファイアー２１を通じて拡大される）その分周器分割回路１０へ出力し、更にその分周器分割回路１０の出力端Ａ１、Ｂ１、Ｃ１を通じて各発光アセンブリー５０へ伝送され、同時に各発光エレメント５１およびスピーカ５２を駆動し、その音声信号の音量の大きさまたはリズムの高低に伴って自動的にライトの明暗およびひらめきを調整し、音効が発生して音声と光とが合致する効果が形成される。また、本発明を実施する場合、図４、６および７に示すように、その各発光エレメント５１およびスピーカ５２を直列連結または並列連結してそれぞれ独立したランプ列６１およびスピーカセット６２にし、その各ランプ列６１およびスピーカセット６２の線路はそれぞれ分周器分割回路１０の出力端Ａ１、Ｂ１、Ｃ１へ接続されているので、視聴設備およびマルチメディア設備２２に発生する音声信号は直接または間接的に（音効アンプリファイアー２１を通じて拡大される）分周器分割回路１０を経て電流信号に転換され、更にその各ランプ列６１およびスピーカセット６２に伝送され、各ランプ列６１の発光エレメント５１は音声信号の音量の大きさまたはリズムの高低に伴って自動的にライトの明暗およびひらめきを調整することができ、それと同時に各スピーカセット６２のスピーカを駆動して音効のリズムが発生し、音声と光とが合致する効果が形成される。
【図面の簡単な説明】
【図１】アメリカ発明特許請求案０９／６９２，４４０号のスピーカを示す断面図である。
【図２】本発明の第一実施例による電子装置の分周器分割回路を示す概念図である。
【図３】本発明の第一実施例による電子装置の分周器分割回路を示す概念図である。
【図４】本発明の第二実施例による電子装置の分周器分割回路を示す概念図である。
【図５】本発明の実施例による電子装置の分周器分割回路を示す外観斜視図である。
【図６】本発明の実施例による電子装置の分周器分割回路を示す外観斜視図である。
【図７】本発明の実施例による電子装置の分周器分割回路を示す外観斜視図である。
【符号の説明】
１０　　分周器分割回路
１１、１２、１３　　分周器分割線路
２０　　音源
２３　　スピーカ
５０　　発光アセンブリー
５１　　発光エレメント
５２　　スピーカ
Ａ１、Ｂ１、Ｃ１　　出力端
【図１】
2004077515.tif 000003
【図２】
2004077515.tif 000004
【図３】
2004077515.tif 000005
【図４】
2004077515.tif 000006
【図５】
2004077515.tif 000007
【図６】
2004077515.tif 000008
【図７】
2004077515.tif 000009